(57)【要約】【課題】  建物や居室の利用者を管理責任者、一般社員、物品搬入者、工事業務者等、任意のアクセスレベルに分け、扉ごとに各アクセスレベルの入退室通行条件を設定できるようにすることで、建物や居室内の状態や使用目的に応じたセキュリティー管理を行うことができる入退室管理装置を得る。【解決手段】  建物や居室の扉等に設置され、人の入退室を制御する入退室管理装置１において、建物や居室の利用者を任意のアクセスレベルに分け、扉ごとに各アクセスレベルの入室通行条件を設定し、建物や居室内の状態が、各アクセスレベルに対応する入室通行条件を満たしている場合のみ、入室を許可するアクセスレベル対応の入室通行条件判定手段１ａを備える。【選択図】    図１
2005171619.tif 000002
【特許請求の範囲】
【請求項１】
建物や居室の扉等に設置され、人の入退室を制御する入退室管理装置において、
建物や居室の利用者を任意のアクセスレベルに分け、扉ごとに各アクセスレベルの入室通行条件を設定し、建物や居室内の状態が、各アクセスレベルに対応する入室通行条件を満たしている場合のみ、入室を許可するアクセスレベル対応の入室通行条件判定手段を備えたことを特徴とする入退室管理装置。
【請求項２】
建物や居室の利用者を任意のアクセスレベルに分け、扉ごとに各アクセスレベルの退室通行条件を設定し、建物や居室内の状態が、各アクセスレベルに対応する退室通行条件を満たしている場合のみ、退室を許可するアクセスレベル対応の退室通行条件判定手段を更に具備することを特徴とする請求項１記載の入退室管理装置。
【請求項３】
アクセスレベル対応の入退室通行条件判定手段は、扉ごとに設定される各アクセスレベルに対応する入退室通行条件を任意に変更できることを特徴とする請求項１又は請求項２記載の入退室管理装置。
【発明の詳細な説明】
【技術分野】
【０００１】
この発明は、建物や居室の扉等に設置され、人の入退室を制御する入退室管理装置に関するものである。
【背景技術】
【０００２】
従来、建物や居室への入退室の際、許可者にのみ扉を解錠する入退室管理装置は、コンピュータ制御により既に行われている。このような入退室管理装置は、居室に入る場合、入室用個人識別装置に個人識別データを入力し、入退室管理装置によるデータ照合の結果、入室許可者であった場合のみ扉を一時解錠する。退室時も同様にして、退室用個人識別装置に個人識別データを入力し、入退室管理装置によるデータ照合の結果、退室許可者であった場合のみ扉を一時解錠するものである（例えば、特許文献１参照）。
【０００３】
【特許文献１】特開２００３−２０６６５９号公報
【発明の開示】
【発明が解決しようとする課題】
【０００４】
従来の入退室管理装置は以上のように構成されているので、建物や居室への通行が許可されていれば、社員等の管理者が不在の場合でも業者等の一時利用者が入退室できてしまうなど、建物や居室内の状態に応じた入退室管理ができないという問題があった。
【０００５】
この発明は、上述のような課題を解決するためになされたもので、建物や居室の利用者を管理責任者、一般社員、物品搬入者、工事業務者等、任意のアクセスレベルに分け、扉ごとに各アクセスレベルの入退室通行条件を設定できるようにすることで、建物や居室内の状態や使用目的に応じたセキュリティー管理を行うことができる入退室管理装置を提供するものである。
【０００６】
また、この発明は、扉ごとに設定される各アクセスレベルの入退室通行条件を変更可能
にすることで、建物や居室の使用目的の変更や、工事等による一時的なセキュリティーレベルの変更にも柔軟に対応できる入退室管理装置を提供するものである。
【課題を解決するための手段】
【０００７】
この発明に係る入退室管理装置においては、建物や居室の利用者を任意のアクセスレベルに分け、扉ごとに各アクセスレベルの入室通行条件を設定し、建物や居室内の状態が、各アクセスレベルに対応する入室通行条件を満たしている場合のみ、入室を許可するアクセスレベル対応の入室通行条件判定手段を備えたものである。
【０００８】
また、アクセスレベル対応の入退室通行条件判定手段は、扉ごとに設定される各アクセスレベルに対応する入退室通行条件を任意に変更できるようにしたものである。
【発明の効果】
【０００９】
この発明によれば、扉ごとに各アクセスレベルの入退室通行条件を設定することにより、通行が許可されている者でも、建物や室内の状態が、入退室通行条件を満たしていない場合には、入退室を制限することができ、室内に管理権限のあるものが不在である場合の業者等の入退室や、業者等が在室中の管理権限者の退室などを防止することができる。
【００１０】
また、扉ごとに設定される各アクセスレベルを変更できるようにすることにより、建物や居室の使用目的の変更や、工事等による一時的なセキュリティーレベルの変更にも柔軟に対応することができる。
【発明を実施するための最良の形態】
【００１１】
実施の形態１．
図１はこの発明を実施するための実施の形態１における入退室管理装置を示す平面図、図２はこの発明の実施の形態１における入退室管理装置の動作を説明するためのフローチャートである。
図１において、１は建物や居室の扉等に設置され、人の入退室を制限する入退室管理装置である。この入退室管理装置１は、建物や居室の利用者を任意のアクセスレベルに分けて予め登録しておき、扉ごとに各アクセスレベルの入退室通行条件をそれぞれ設定し、建物や居室内の状態が、各アクセスレベルに対応する入退室通行条件を満たしている場合のみ、入退室を許可するアクセスレベル対応の入退室通行条件判定手段１ａを具備しているものである。２は入室用個人識別装置、３は退室用個人識別装置、４は扉、５は入室しようとする人、６は在室中の人である。
【００１２】
以下、この発明の実施の形態１における入室動作を図２により説明する。
居室に入る場合は、先ずステップＳＴ１にて入室用個人識別装置２に入室しようとする人５の個人識別データを入力する。次にステップＳＴ２にて入退室管理装置１によるデータ照合の結果、入室許可者であった場合は、ステップＳＴ３にて入退室管理装置１のアクセスレベル対応の入退室通行条件判定手段１ａにより、入室許可者５のアクセスレベルに対応する入室通行条件判定を行う。ここでの判定の結果、居室内の状態が入室通行条件を満たしていた場合のみ、ステップＳＴ４にて扉４を一時解錠する。ここで、建物や居室内の状態が、各アクセスレベルに対応する入室通行条件を満たしていない場合は、扉４は解錠されず、セキュリティー性を向上させることができる。
なお、退室動作についても、入室動作とほぼ同様であるので、説明を省略する
【００１３】
以上により、通行が許可されている者でも、建物や室内の状態により入退室を制限することができ、室内に管理権限のあるものが不在である場合の業者等の入退室や、業者等が在室中の管理権限者の退室などを防止するとができ、入退室管理のセキュリティー性をより高めることができる。
【００１４】
また、扉ごとに設定される各アクセスレベルを変更できるようにすることにより、建物や居室の使用目的の変更や、工事等による一時的なセキュリティーレベルの変更にも柔軟に対応することができる。
【図面の簡単な説明】
【００１５】
【図１】この発明を実施するための実施の形態１における入退室管理装置を示す平面図である。
【図２】この発明の実施の形態１における入退室管理装置の動作を説明するためのフローチャートである。
【符号の説明】
【００１６】
１  入退室管理装置
１ａ  入退室通行条件判定手段
２  入室用個人識別装置
３  退室用個人識別装置
４  扉
５  入室しようとする人
６  在室中の人
【図１】
2005171619.tif 000003
【図２】
2005171619.tif 000004